Podtech/llm-jp-corpus-v4-ja_patent huggingface dataset:
(57)【要約】      （修正有）【課題】錠前の形状にかかわらず、簡易な構造で、施錠又は開錠していることを示すことが可能な鍵補助具を提供する。【解決手段】使用者が把持部を把持し、鍵穴に先端を挿入し、把持部を回動させることで施錠又は開錠可能な鍵に取り付けられ、施錠又は開錠していることを示す鍵補助具では、鍵の把持部に取り付けられ、使用者に把持部と共に把持される本体１０と、鍵の回動方向の中心線に対して直交する方向に本体１０から延出し、少なくとも本体１０との接続部分が、本体より柔軟に形成されている第１延出部２０と、平面形状に形成され、第１延出部２０と同じ方向に本体１０から延出する第２延出部３０と、弾性変形可能な素材で形成されており、基端が第１延出部２０に接続され、第２延出部３０の方向に延び、先端が第２延出部３０の一方向又は他方の面のいずれかに当接する表示部４０とを備える。【選択図】図２
2017160650.tif 000002
【特許請求の範囲】
【請求項１】
使用者が把持部を把持し、鍵穴に先端を挿入し、把持部を回動させることで施錠又は開錠可能な鍵に取り付けられ、施錠又は開錠していることを示す鍵補助具であって、鍵の把持部に取り付けられ、使用者に把持部と共に把持される本体と、鍵の回動方向の中心線に対して直交する方向に本体から延出し、少なくとも本体との接続部分が、本体より柔軟に形成されている第1延出部と、平面形状に形成され、第1延出部と同じ方向に本体から延出する第2延出部と、弾性変形可能な素材で形成されており、基端が第1延出部に接続され、第2延出部の方向に延び、先端が第2延出部の一方向又は他方の面のいずれかに当接する表示部とを備える鍵補助具。
【発明の詳細な説明】
【技術分野】
【０００１】
本発明は施錠又は開錠していることを示す鍵補助具に関する。  
【背景技術】
【０００２】
出先の途中で玄関の鍵を掛けた記憶がなく鍵を掛けたのか、かかってないのか出先で不安になる場合がある。  
【０００３】
特許文献1には、鍵に表示板を取り付けたカバ-を被せ、錠前に表示板を切り替える凸部を設け、鍵を回すことにより、鍵の表示板が、施錠もしくは開錠のどちらか操作した方向の表示に切り替わることを特徴とする錠前の状態記録具が提案されている。
【先行技術文献】
【特許文献】
【０００４】
【特許文献１】特開2009-7911号公報
【発明の概要】
【発明が解決しようとする課題】
【０００５】
しかしながら、特許文献1の状態記録具は錠前に凸部を設ける必要があり、錠前の形状によっては凸部を取り付けられない場合もあった。本発明は錠前の形状にかかわらず、簡易な構造で、施錠又は開錠していることを示すことが可能な鍵補助具を提供することを目的とする。                                                                                                                                                       
【課題を解決するための手段】
【０００６】
使用者が把持部を把持し、鍵穴に先端を挿入し、把持部を回動させることで施錠又は開錠可能な鍵に取り付けられ、施錠又は開錠していることを示す鍵補助具であって、鍵の把持部に取り付けられ、使用者に把持部と共に把持される本体と、鍵の回動方向の中心線に対して直交する方向に本体から延出し、少なくとも本体との接続部分が、本体より柔軟に形成されている第1延出部と、平面形状に形成され、第1延出部と同じ方向に本体から延出する第2延出部と、弾性変形可能な素材で形成されており、基端が第1延出部に接続され、第2延出部の方向に延び、先端が第2延出部の一方向又は他方の面のいずれかに当接する表示部とを備える鍵補助具。                                                           
【発明の効果】
【０００７】
本発明よれば錠前の形状にかかわらず、簡易な構造で、施錠又は開錠していることを示すことが可能な鍵補助具を提供できる。
【図面の簡単な説明】
【０００８】
【図１】本発明の実施形態係る鍵補助具を正面から見た図である。
【図２】本発明の実施形態係る鍵補助具動作を説明する図である。
【発明を実施するための形態】
【０００９】
使用者が把持部110を把持し、鍵穴200に先端を挿入し、把持部110を回動させることで施錠又は開錠可能な鍵100に取り付けられ、施錠又は開錠していることを示す鍵補助具で1は、鍵100の把持部110に取り付けられ、使用者に把持部110と共に把持される本体10と、鍵100の回動方向の中心線に対して直交する方向に本体10から延出し、少なくとも本体10との接続部分が、本体より柔軟に形成されている第1延出部20と、平面形状に形成され、第1延出部20と同じ方向に本体10から延出する第2延出部と、弾性変形可能な素材で形成されており、基端が第1延出部20に接続され、第2延出部30の方向に延び、先端が第2延出部30の一方向又は他方の面のいずれかに当接する表示部40とを備える。
【符号の説明】
【００１０】
1鍵補助具
10  本体                                                                                                                                                  20  第1延出部                                                                                             30  第2延出部
40  表示部
100  表示部
110 把持部
200 鍵穴  
【図１】
2017160650.tif 000003
【図２】
2017160650.tif 000004
(57)【要約】【課題】  従来の浴室内排水口の蓋は浴室内で発生した抜け毛やゴミ類をその蓋の上部に集積させてそれらがある程度蓄積されたら手で集めて除去するものであり、蓋に多数にあけられた小さな穴から浴室内で発生した排水と一緒に一部の抜け毛やゴミ類が排水口に流出して排水口の目詰まりをおこしていた。【解決手段】  浴室内排水口の蓋の下部に取り付けられたゴムリング内蔵のネット状の袋の中に浴室内で発生した抜け毛やゴミ類をあますところなく集積でき、又ある程度その中に抜け毛やゴミ類が蓄積されたらゴムリング内蔵のネット状の袋を取り外して廃棄して新しいものと交換できる。【選択図】図３
2017160764.tif 000002
【特許請求の範囲】
【請求項１】
排水口の蓋の中心部を丸く抜きその下方が円錐状の筒になるようにした部分にゴムリングを内蔵したネット状の袋を取り付けた浴室内排水口のカバー
【請求項２】
ゴムリングを上部に内蔵したネット状の袋は浴室内排水口カバーから簡単に取り外せ、ネット状の袋の中に抜け毛やゴミ類がある程度蓄積されたら新しいネット状の袋と交換できるものとする。
【発明の詳細な説明】
【技術分野】
【０００１】本発明は浴室内で発生した抜け毛やゴミ類の集積を兼ねた浴室内排水口の蓋に関する。
【背景技術】
【０００２】従来の浴室内排水口の蓋は浴室内で発生した抜け毛やゴミ類を浴室内排水口の蓋上部に集積される形態（例えば特許文献１参照。）のものが多い。【０００３】以下図２において従来の浴室内排水口の蓋について説明する。図２において浴室内で発生した抜け毛やゴミ類は浴室内排水口の蓋に多数あけられた丸い小さな穴によって排水のみが排水口に流出して抜け毛やゴミ類は浴室内排水口の蓋上部に集積されるものである。【０００４】ある程度の量の抜け毛やゴミ類が図２の浴室内排水口の蓋上部に蓄積されたらそれらを手で集めて除去するものである。
【先行技術文献】
【特許文献】
【０００５】
【特許文献１】  特開２０１１−１６８９６５号公報
【発明の概要】
【発明が解決しようとする課題】
【０００６】以上に述べた従来の浴室内排水口の蓋においては浴室内で発生した抜け毛やゴミ類は蓋の上部に集積されるために一部の抜け毛やゴミ類は蓋にあけれらた多数の丸い小さな穴から排水と一緒に排水口に流出して排水口の目詰まりを発生してしまう。【０００７】また浴室内排水口の蓋上部に抜け毛やゴミ類が集積されるためにある程度抜け毛やゴミ類が蓋上部に蓄積されたらいちいち手で集めて除去しなければならない。【０００８】また浴室内排水口の蓋上部に抜け毛やゴミ類が蓄積されるために衛星面や抜け毛やゴミ類が浴室内で目につくために美観の上でも問題である。【０００９】本発明はこのような従来の構成が有していた問題を解決しようとするものであり、浴室内で発生した抜け毛やゴミ類を残らず集積して除去でき、衛星面や美観を損なわないことを目的としたものである。
【課題を解決するための手段】
【００１０】本発明は上記目的を達成するために浴室内排水口の蓋の中心部を丸く抜きその下方が円錐状の筒になるようにした蓋の円錐状の筒の下部にゴムリングを内蔵したネット状の袋を取り付けて浴室内で発生した抜け毛やゴミ類をネット状の袋に集積させるものである。【００１１】また、浴室内排水口の蓋下部に取り付けられたゴムリング内蔵のネット状の袋はその中にある程度の抜け毛やゴミ類が蓄積されたら簡単に取り外しができ新しいゴムリング内蔵のネット状の袋と交換ができる。
【発明の効果】
【００１２】上述したように本発明の浴室内排水口の蓋は浴室内で発生した抜け毛やゴミ類をあますところなくゴムリング内蔵のネット状の袋に集積して一部が排水と一緒に排水口へ流出して排水口の目詰まりを防ぐことができる。【００１３】また、抜け毛やゴミ類がゴムリング内蔵のネット状の袋の中に集積されるために、それらを除去する際にわざわざ手で集める必要がなく、ゴムリング内蔵のネット状の袋を蓋から取り外してそのまま捨てて新しいゴムリング内蔵のネット状の袋と交換することによって手を汚すことがない。【００１４】また浴室内排水口の蓋の下部ゴムリング内蔵のネット状の袋が取り付けられているので外部からは見えず、衛星面や美観を損なうことがない。
【図面の簡単な説明】
【００１５】
【図１】本発明の浴室内排水口の蓋の斜視図
【図２】従来の浴室内排水口の蓋の斜視図
【図３】本発明の浴室内排水口の蓋にゴムリング内蔵のネット状の袋を取り付けた斜視図ならびにゴムリング内蔵のネット状の袋
【図４】本発明の浴室内排水口の蓋の断面図
【図５】排水口に取り付けた状態の浴室内排水口の蓋の断面図
【発明を実施するための形態】
【００１６】以下、本発明の実施の形態を図１と図３において説明する。
【００１７】図１の浴室内排水口の蓋１の中心部にあけられた小さな穴を通って浴室内で発生した排水ならびに抜け毛やゴミ類が排水口へと流出する。
【００１８】浴室内排水口の蓋１を中心部にあけられた小さな穴を通って流出した排水に混じった抜け毛やゴミ類が浴室内排水口の蓋１の円錐状の筒の下部に取り付けられたゴムリング内蔵のネット状の袋２の中に集積される。
【００１９】図３で示す浴室内排水口の蓋１に取り付けられたゴムリング内蔵のネット状の袋２はその中にある程度の量の抜け毛やゴミ類が蓄積されたゴムリング内蔵のネット状の袋２を取り外して廃棄し新しいゴムリング内蔵のネット状の袋２を取り付けて使用する。
【００２０】以上のように、本実施形態によれば浴室内で発生した抜け毛やゴミ類をあますことなく集積して除去できるものである。
【符号の説明】
【００２１】１    浴室内排水口の蓋
２    ゴムリング内蔵のネット状の袋
３    ゴムリング
４    排水トラップ内に溜った排水
【図１】
2017160764.tif 000003
【図２】
2017160764.tif 000004
【図３】
2017160764.tif 000005
【図４】
2017160764.tif 000006
【図５】
2017160764.tif 000007
(57)【要約】【課題】広い面積の地下水位を深部迄均等に降下させるには地盤の成層状態、透水係数、含水量等の要素から在来までのデープウェルでは施工本数を多く設置する必要がありコスト的にも経済的でなく均等な水位降下が得られない課題があった、【課題を解決する手段】対象地盤が均一で厚い地層の場合又は互層地盤（砂層又はシルト、粘土層）の場合バーチカルドレーン工法併用又は互層地盤の滞水量の大きい地盤に水平に本工法を平面的、又は断面的に多段的に設置し強制的に導水勾配をフラット化する手段にり課題を解決する手段とした。【選択図】図１
2017160765.tif 000002
【特許請求の範囲】
【請求項１】
本工法は対象地盤に立坑を一定深度まで構築しその立坑から複数段平面的に水平、又は斜め下、斜め上に３６０°の範囲に複数本特殊ストレーナーパイプを設置し、又断面的には多段的に挿入する事により、対象地盤の深層迄、又互層地盤の各層の含水を早期に抜き取り、導水勾配をフラットに降下させる事の出来る工法を特許請求の範囲とする。
【請求項２】
特殊ストレーナーの構造はスリット付き鋳鉄管の外側に防虫網を巻その外側にフィルター材を入れ更に防虫網で包含し針金巻きとした構造又はその外側に更に塩ビパイプスリット付きとした構造を特許請求の範囲とする、
【請求項３】
平面的に３６０°の範囲に水平もしくは一定の勾配に１００ｍ〜１５０ｍ、１セットずつ複数本、断面的には複数段設置することを、特許請求の範囲とする。
【請求項４】
特殊ストレーナーパイプを直線的又は包囲する形に複数セット、一平面的配置又は多段的に面配置することを特許請求の範囲とする。
【請求項５】
立坑から水平又は一定勾配で特殊ストレーナーパイプを設置する場合刃口は注入工法、又は固化工法を行う事とし、特殊ストレーナーは立坑壁面５ｍ先から立坑内部はケーシングとし、立坑内部に設置した特殊バーチカルポンプに接続し、揚水できる構造を特許請求の範囲とする。
【請求項６】
特殊ストレーナーパイプと特殊バーチカルポンプ間にデープバキュウム室を設けたポンプシステムで地下深部でも負圧を加えられるポンプシステムを特許請求の範囲とする。
【発明の詳細な説明】
【技術の分野】
【０００１】  軟弱地盤の砂質又はシルト層、砂、シルト混じり粘性土、粘土層等の圧密沈下対策又は液状化対策工法として広い範囲の地盤で地表に種々の建物構造物がある場合の地下水位を大きく降下させつつ、我々が常時受けている大気圧力を対象地盤に加える事により地盤を改良できる工法である、又各構造物の背面土圧軽減をしつつ地盤を安定化させることなど応用範囲は多くある、今現在問題となっている東京電力福島の汚染水タンク貯蔵の現状の打破方法として本工法が有効且つ確実に地下水の減少を計れると考えられる。
【拝啓技術】
【０００２】東京電力福島原子力発電所の件についてデープウェルを複数本設置し揚水中とテレビ拝見しましたが導水勾配の関係から排水について漁業組合から最初クレームがついておりましたが当初からわかることです、今だ地下水の減少がみられない事から本工法の提案をし、元福島県知事在任中提案した遮水壁と合わせ施工すれば、地下水の問題が少しでも軽くなっていたと考える、遮水壁もセメントミルク併用５型シートパイルをコの字型に全面てきに遮断包囲しておればコストも安くできて安心であったと感が居られる、海側は大口径２号港湾型鋼管を設置済み鋼管基礎外側に深度５０ｍ迄設置し、汚染水貯蔵タンク１０００基周辺に防水壁を（タンク容量と＋余裕分体積）計画し、これから起きる地震によるタンク漏れ汚染水の処理方法を考えるべきと思う、尚汚染水が全部漏れ出した場合の処置方法として防水壁からはセメントがスイッチ一つで噴射でき自然に攪拌混合出来る装置を備え、本来の廃炉工事を進めることが最優先と考えられる、特許とは関係ありませんが長期期間中に起こると言われている地震を想定すべきと考える、汚染水が漏れ出したら手の打ちようもないと考えられるこれから起きると言われている東南海地震に於いても沿岸の化学工場の汚染責任の問題から前持って防護壁を民間業者は構築すべきと考えられる。
【発明の開示】
【発明が解決しようとする課題】
【０００３】一般的な地下水揚水結果では導水勾配がつき、フラット化するには本数が多く必要で経済的でない、課題があった、地盤改良に於いても地層の構成透水係数、含水量とうの影響から導水勾配が立つ現象がみられ、均一化が出来ないケースが多くみられる、福島原子力発電所のようにデープウェルの揚水による汚染水の呼び込みと導水勾配から地下水の減少効果にはあまり期待が出来ないのと汚染水の水道（ミズミチ）がついてえるので課題である、
【課題を解決する手段】
【０００４】対象地盤が均一で厚い場合、又は互層地盤の場合で滞水が異なる場合にジャストポイントに本工法を設置し、平面的、断面に強制的に導水勾配をフラットにしつつ滞水を除去する事により課題を解決する手段とする工法を提案実施する手段とする。
【発明の効果】
【０００５】川崎市の下水シールド工法に於いて地上からデープウェルを設置し工事を始めたゼネコンからの依頼により本工法を設置安全に予算変更なく完了したシルト軟弱地盤の厚い改良にサンドシーム工法を本工法と併用し、大きい所定沈下量を工期内に完了出来た。上部作業に左右されず脱水降下を継続できる利点もあるので道路、民有地、山林等の下部地下水を効率よく排水出来る効果がある。特に福島原子力のような背面の地下水流入を未然に減少させるには効果的と考えられる
【図面の簡単な説明】
【０００６】
【図１】ホリゾンタルデープバキュウム工法  平面図及び断面図
【符号の説明】１、立坑
２、ホリゾンタルライン
３、特殊バ＾チカルポンプ
４、ドレーン材
５、大気圧
６、水位降下圧
７、注入工法
８、固化（ＪＳＧ）工法
【図１】
2017160765.tif 000003
(57)【要約】【課題】浴室等において防カビ効果が良好に果たされる防カビ用液剤を提供する。【解決手段】水に防カビ剤と変性シリコーンよりなる展着剤とが溶解されてなる防カビ剤、水に防カビ剤を混合撹拌する工程と、前記防カビ剤が撹拌混合された水溶液に乳化剤を混合撹拌する工程と、前記防カビ剤と乳化剤とが混合撹拌された水溶液に変性シリコーンよりなる展着剤を混合撹拌する工程と、から構成される防カビ用液剤の製法。【選択図】図１
2017160136.tif 000002
【特許請求の範囲】
【請求項１】
水に防カビ剤と変性シリコーンよりなる展着剤とが溶解されてなる防カビ用液剤。
【請求項２】
前記防カビ剤の含有量を０．２７〜０．３７重量％とし、前記展着剤の含有量を０．０１〜０．０５重量％とする請求項１記載の防カビ用液剤。
【請求項３】
浴室用である請求項１または２記載の防カビ用液剤。
【請求項４】
水に防カビ剤を混合撹拌する工程と、前記防カビ剤が撹拌混合された水溶液に乳化剤を混合撹拌する工程と、前記防カビ剤と乳化剤とが混合撹拌された水溶液に変性シリコーンよりなる展着剤を混合撹拌する工程と、から構成される防カビ用液剤の製法。
【請求項５】
前記乳化剤を混合撹拌する工程を前段と後段の２工程に分離し、それぞれの工程で異なる乳化剤を用いる請求項４記載の防カビ用液剤の製法。
【発明の詳細な説明】
【技術分野】
【０００１】
この発明は、浴室等において用いられる防カビ用液剤及びその製法に関する。
【背景技術】
【０００２】
湿気が充満する浴室等においてはその壁面や天井にカビが発生し、不衛生であるとともに美観が損なわれる問題がある。このようなカビの発生を防止するように防カビ用液剤が用いられている。この防カビ用液剤は浴室等の天井や壁面に吹き付け塗布されて用いられるが、現状においては十分な防カビ効果が得られず、とくにその防カビ効果が持続されない。これは、天井や壁面に付着する水滴の流下により塗布された防カビ用液剤が流れ落ちてしまうことが原因と考えられる。
【発明の概要】
【発明が解決しようとする課題】
【０００３】
この発明は上記の事情に鑑みて行ったもので、浴室等において防カビ効果が良好に果たされる防カビ用液剤を提供することを目的とする。
【課題を解決するための手段】
【０００４】
この発明では、水に防カビ剤と変性シリコーンよりなる展着剤とが溶解されてなる防カビ用液剤を提供する。防カビ剤の含有量は０．２７〜０．３７重量％とし、展着剤の含有量は０．０１〜０．０５重量％とすることが望ましい。
【０００５】
この発明の防カビ用液剤が塗布されると、変性シリコーンよりなる展着剤によって塗布面に防カビ用液剤が展着されて強固に付着される。これにより防カビ用液剤は水によって流れ落ちることが防がれ、防カビ剤の防カビ効果が良好に発揮され、その効果は持続される。この発明の防カビ用液剤は湿気が充満する浴室用として好適に使用される。
【０００６】
この発明の防カビ用液剤は、水に防カビ剤を混合撹拌する工程と、前記防カビ剤が撹拌混合された水溶液に乳化剤を混合撹拌する工程と、前記防カビ剤と乳化剤とが混合撹拌された水溶液に変性シリコーンよりなる展着剤を混合撹拌する工程とから得られる。とくに、上記乳化剤を混合撹拌する工程を前段と後段の２工程に分離して行うことで良好なる防カビ用液剤が得られる。これは、２工程に分離して異なる乳化剤を混合撹拌したことで、次に混合撹拌する変性シリコーンの乳化作用がより高められたことに起因すると考えられる。
【発明の効果】
【０００７】
この発明によれば、塗布面から離脱しにくくて防カビ効果が良好に果たされる、浴室等において好適に用いられる防カビ用液剤が得られる。
【図面の簡単な説明】
【０００８】
【図１】この発明の防カビ用液剤の実施例効果を示す写真図
【図２】比較例効果の写真図
【発明を実施するための最良の形態】
【０００９】
この発明の防カビ用液剤の実施例組成を次に示す。
Ａ  水道水              ９７．４７重量％
Ｂ  展着剤              ０．０１重量％
成分  アミノ変性メチルポリシロキサン、オクタメチルシクロテトラシロキサン
Ｃ  防カビ剤            ０．３２重量％
成分  イミダゾール系化合物、有機要素系化合物
Ｄ  乳化剤１            １．１７重量％
成分  アニオン系界面活性剤
Ｅ  乳化剤２            １．０３重量％
成分  ノニオン系界面活性剤、アニオン系界面活性剤
【００１０】
Ｂの展着剤は０．０１〜０．０５重量％、Ｃの防カビ剤は０．２７〜０．３７重量％、Ｄの乳化剤１は１．１２〜１．２２重量％、Ｅの乳化剤は０．９８〜１．０８重量％の範囲において好適に使用される。
【００１１】
次にこの発明の防カビ剤の製法を説明する。Ａの水道水にＣの液状の防カビ剤を所定量混合撹拌し（第１の工程）、その水溶液にＥの液状の乳化剤２を所定量混合撹拌し（第２の工程））、さらに、その水溶液にＤの液状の乳化剤１を所定量混撹拌し（第３の工程）、さらに、その水溶液にＢの液状の展着剤を所定量混合撹拌して（第４の工程））防カビ用液剤を得る。
【００１２】
次にこの発明の防カビ用液剤の防カビ効果について説明する。寒天培地上面に上記で得られた防カビ用液剤の検体を吹き付け塗布して一晩乾燥させた第１の試験片と、寒天培地上面に防カビ用液剤を塗布しないで一晩乾燥させた第２の試験片それぞれの上面に、９０リットルの水を流下し、その後にそれぞれの試験片の上面に黒カビの胞子を分散させた菌液を吹き付け塗布し、２５℃の環境で黒カビの発生を観察した。６日後、第２の試験片において、図２の写真図に示すように、試験片表面のほぼ全面に黒カビの発生が見られたのに対し、第１の試験片においては、図１の写真図に示すように、黒カビの発生は見られなかった。
【図１】
2017160136.tif 000003
【図２】
2017160136.tif 000004
(57)【要約】【課題】携帯電話の着信お知らせ機能付きイヤフォン【解決手段】本発明の着信お知らせ機能付きイヤフォンは、イヤフォン１には発光ダイオード２、コード３，プラグ部４電源により稼働する着信信号増幅装置５で構成され、スイッチ８をＯＮにセットし携帯電話７をバック６に収納した時、前記発光ダイオード２を、着信を確認し易い場所へ設置しておくことで、着信が確認出来る。【選択図】図２
2017188860.tif 000002
【特許請求の範囲】
【請求項１】
イヤフォンのプラグを携帯電話の差込み口へ差込み、イヤフォンと携帯電話が繋がった状態において、イヤフォンを耳に非装着時であっても、携帯電話に着信があったことを知らせる為、発光ダイオードをイヤフォン本体、などの一部へ具備したことを特徴とした着信お知らせ機能付きイヤフォン
【請求項２】
イヤフォンとプラグ間に着信を知らせる発光ダイオード着信信号増幅装置とその電源又、当該イヤフォンと発光ダイオード着信信号増幅装置を切り替えるスイッチを設け該スイッチのＯＮ／ＯＦＦによりイヤフォンと発光ダイオードの使い分けができる請求項１記載の着信お知らせ機能付きイヤフォン。
【発明の詳細な説明】
【技術分野】
【０００１】本発明はイヤフォンに関するものである。
【背景技術】
【０００２】現在多くの場合、女性にあっては、携帯電話不使用時にはバック等へ仕舞うことが多く、電話が掛かってきたことを知らせる着信音、及びバイブレーション等を感知できる手段がそもそも無いのが現状である
【発明が解決しようとする課題】
【０００３】音楽をイヤフォンで視聴時には、電話の着信があればそちらが優先されるので電話があったことが認識される。しかし、携帯電話をバッグなどへ仕舞った状態であれば、騒音が激しい場所などにおいては、着信音が騒音にかき消され聞き取れず、バイブレーションの振動も感知することが出来ず、いずれの場合においても着信を認識出来ない場合が多々あり不便であった。
【課題を解決する手段】
【０００４】本発明では、イヤフォンの一部へ、携帯電話に着信があったことを知らせる為の発光ダイオード着信信号増幅装置とその電源また当該イヤフォン発光ダイオード着信信号増幅装置を切り替えるスイッチを設け該スイッチのＯＮ／ＯＦＦによりイヤフォンと発光ダイオードの使い分けができる。したがって携帯電話をバック等へ仕舞う際に当該イヤフォンと携帯電話を接続した状態でも、スイッチをＯＮにセットするが、この場合イヤフォンスイッチはＯＦＦ状態となる。当該イヤフォン部分に設けた発光ダイオードをバック等の外へ引き出し、着信が確認しやすい場所へ設置しておくことで、着信があれば、着信信号増幅回路が作動し、発光ダイオードが点滅し、着信お知らせ機能が働き着信を知ることが出来る。
【発明の効果】
【０００５】着信時の対応が容易に出来る。
【図面の簡単な説明】
【０００６】
【図１】本発明のお知らせ機能付きイヤフォンと携帯電話の接合図。
【図２】本発明のお知らせ機能付きイヤフォンに電源により稼働する着信信号増幅装置を設けた携帯電話の接合図。
【図３】本発明のお知らせ機能付きイヤフォン実施例図。
【発明を実施するための形態】
【０００７】本発明は、イヤフォン本体に発光ダイオードを設け、コード、プラグ等適宜の部位へ、前記発光ダイオード専用の増幅器、及びイヤフォンと発光ダイオード適宜に使い分けるスイッチを設け、携帯電話からの着信を該携帯電話をバック等に収納していても確認出来ることを実現している。
【実施例】
【０００８】本発明の着信お知らせ機能付きイヤフォンの実施例を図１〜図３に依って説明する。
イヤフォン１には発光ダイオード２、コード３，プラグ部４電源により稼働する着信信号増幅装置５で構成され、スイッチ８をＯＮにセットし携帯電話７をバック６に収納した時、前記発光ダイオード２を、着信を確認し易い場所へ設置しておくことで、着信が確認出来る。
【符号の説明】
【０００９】１：イヤフォン
２：発光ダイオード
３：コード
４：プラグ
５：電源により稼働する着信信号増幅装置
６：バック
７：携帯電話
８：スイッチ５
【図１】
2017188860.tif 000003
【図２】
2017188860.tif 000004
【図３】
2017188860.tif 000005
(57)【要約】【課題】スマートフォン内蔵のスピーカーを聴き易くするスピーカーカバーが付き、且つ持ち運びにも邪魔にならない小型のスピーカーカバーと一体になったスマートフォン用ケースを提供する。【解決手段】スマートフォンケース１と一体にスマートフォン内蔵のスピーカーを覆うようにスピーカーカバー２を設け、側方又は下方に向かって出される音声を、画面正面に向かって音声の方向を変えるようにした。スマートフォンケース１とスピーカーカバー２が一体なので、小型で持ち運びにも邪魔にならず、それでいて視聴する際の音量が大きくなり十分な効果が得られる。【選択図】図１
2017188737.tif 000002
【特許請求の範囲】
【請求項１】
スマートフォンにおいて、側方又は下方に向かって出される音声を、画面正面に向かって音声の方向を変える機能であるスピーカーカバー２と、スマートフォンケース１を一体に形成したスピーカーカバー付きスマートフォン用ケース。
【請求項２】
素材は、シリコン、プラスティック、樹脂、金属、合成皮革、天然皮革、木材などさまざまで、またそれらの素材を部分によって変えて複合とする、請求項１のスピーカーカバー付きスマートフォン用ケース。
【請求項３】
スピーカーカバーの部分の形にこだわりはなく、球面体、直線的な傾斜などさまざまで、音声の方向を画面正面に変える請求項１及び請求項２のスピーカーカバー付きスマートフォンケース。
【発明の詳細な説明】
【技術分野】
【０００１】
本発明は、スマートフォン内蔵スピーカーからの音声を聴き易くするためのスピーカーカバーが付いたスマートフォン用ケースに関するものである。
【背景技術】
【０００２】
スマートフォンで動画を観る際、スマートフォン内蔵スピーカーの多くは、画面の正面から見て側面又は下面に付いているため、音声が側方に向かって出されるため、聞き取りづらい音や言葉が多くある。
【０００３】
そのため、側方に向かって出される音声を、画面の正面側に向かうように音声の方向を変える装置がある。
【０００４】
しかしながら、そのスマートフォンに装着して音声の出る方向を画面正面に変える装置は、スマートフォンに装着したままカバンや衣服のポッケトに入れて持ち運ぶには大きく、不便なものであった。
【先行技術文献】
【特許文献】
【０００５】
【特許文献１】実登３１９５０７９
【特許文献２】実登３１９２８９３
【特許文献３】特開２０１２−１７５６９６
【特許文献４】実登３１７１１１５１
【発明の概要】
【発明が解決しようとする課題】
【０００６】
解決しようとする問題点は、従来のものは、持ち運ぶには大きく、使用するたびに装着しなくてはいけない点である。
【課題を解決するための手段】
【０００７】
本発明は、スマートフォンケース１とスピーカーカバー２を一体とし、取り付けや取り外しという手間もなく、小型で持ち運びにも邪魔にならず、十分な効果があることを特徴とする。
【発明の効果】
【０００８】
本発明のスマートフォン内蔵のスピーカーからの音声を聴き易くするスピーカーカバー付きスマートフォン用ケースは、取り付けや取り外しという煩わしさもなく、小型で鞄や衣服のポケットに入れて持ち運ぶときにも邪魔にならない。それでいて、本案のスマートフォン内蔵のスピーカーからの音声を聴き易くするスピーカーカバー付きスマートフォン用ケースは、スピーカーカバー２を付けていなかったときには聞こえなかった小さな音や聞き取りにくかった音（特に指向性の高い高音）が聞こえるようになるので音量が大きくなり、視聴の際に十分な効果が得られる。
【図面の簡単な説明】
【０００９】
【図１】図１は半円型のスピーカーカバー２を備えたスマートフォンケース１全体の例の斜影図を示した説明図である。（実施例１）
【図２】図２は半円型のスピーカーカバー２を備えたスマートフォンケース１全体の例を、下方斜めからと、正面を示した説明図である。
【図３】図３は直線状の傾斜のスピーカーカバー２’を備えたスマートフォンケース１全体の例の斜影図を示した説明図である。（実施例２）
【図４】図４はスピーカーカバー２付きのスマートフォンケース１を装着した時の、音声の出る方向３を示した説明図である。
【発明を実施するための形態】
【００１０】
スマートフォンケース１とスピーカーカバー２を一体に形成する。
【実施例１】
【００１１】
図１、図２、図４は、スピーカーカバー２を球面体にしたものの実施例である。
【００１２】
素材は、従来のように、プラスティック、樹脂、シリコン、金属、合成皮革、天然皮革、木材など多岐にわたって形成できる。
【００１３】
これらの素材を組み合わせ、複合で形成できる。
【００１４】
高さを表すｈは、概ねスマートフォンケース１の厚さと同じ高さで、幅を表すｗは、スマートフォン内蔵スピーカーの幅と同等かそれを超える幅で、且つスマートフォンのプラグの差し込み口に架からないようにし、奥行きを表すｄは、１０ｍｍ±３ｍｍ程度が、音声の方向を正面に向けるのに効率的で最も効果が表れる理想のサイズであると思われる。
【実施例２】
【００１５】
図３は、スピーカーカバー２’を直線的な傾斜にしたものの実施例である。
【符号の説明】
【００１６】
１    スマートフォンケース本体
２    スピーカーカバー球面体
２’   スピーカーカバー直線的な傾斜
３    音声の方向のイメージ
ｄ    スピーカーカバーの奥行き
ｈ    スピーカーカバーの高さ
ｗ    スピーカーカバーの幅
【図１】
2017188737.tif 000003
【図２】
2017188737.tif 000004
【図３】
2017188737.tif 000005
【図４】
2017188737.tif 000006
(57)【要約】【課題】  熱伝導性の優れた金属板を、送風温度以下に冷却する。【解決手段】  浸透性の高い吸水シートが含んだ水を、送風ファンによって気化させることで、気化熱を利用し、密着した熱伝導性の優れた金属板と、前記金属板と接触した冷却対象物を、送風温度を下回る温度での冷却を行う。【選択図】図２
2017188638.tif 000002
【特許請求の範囲】
【請求項１】
熱伝導性の優れた金属板と、
前記金属板に密着した浸透性の高い吸水シートと、
前記シートに浸透した水を気化させる送風ファンと、
を有する冷却装置。
【発明の詳細な説明】
【技術分野】
【０００１】  本発明は、気化熱応用冷却装置に関するものである。
【背景技術】
【０００２】  従来の送風による冷却では、送風温度が冷却温度の下限であった。一方、気化熱応用冷却装置は、水の気化によって、送風温度を下回る温度での冷却が可能である。
【発明の概要】
【発明が解決しようとする課題】
【０００３】  送風による冷却装置では、送風温度を下回る温度へ冷却することができない。
【課題を解決するための手段】
【０００４】  浸透性の高い吸水シートが含んだ水を、送風ファンによって気化させることで、気化熱を利用し、密着した熱伝導性の優れた金属板と、前記金属板と接触した冷却対象物、送風温度を下回る温度への冷却するによって、を可能にする。
【図面の簡単な説明】
【０００５】
【図１】本発明に係る平面図、および、断面図である。
【図２】本発明に係る立体図である。
【図３】本発明に係る立体図である。
【符号の説明】
【０００６】イ    外装カバー
ロ    高熱伝導金属板
ハ    保水吸収シート
ニ    風向き制御板
ホ    給水タンク
ヘ    電動ファン
ト    給水・吸収板
チ    外気取り入れ口
リ    底部・メインボード
ヌ    熱気排出口
ル    冷却対象物
【図１】
2017188638.tif 000003
【図２】
2017188638.tif 000004
【図３】
2017188638.tif 000005
(57)【要約】      （修正有）【課題】遺品整理に関する事前の相談に対応できるサービスを提供する。【解決手段】全国の遺品整理士認定協会加盟の優良企業と連携し、遺品整理に関する事前の相談ごとを解決し、安心して日々をお過ごし頂く為に、会員券の発行を致します。この会員券は、将来的に遺品整理の依頼をお考えの高齢者様やそのご家族の皆様に会員としてご入会頂き、遺品整理士認定協会より会員証を発行致します。その後、発行した会員証をもって、遺品整理・生前整理をご依頼頂けましたら、全国の遺品整理士認定協会加盟の優良企業に、割安に遺品整理や生前整理のサービスが受けられるものとなっております。これにより、悪質・悪徳なサービスが提供されることの抑止にも繋がると考えられる。【選択図】図１
2017188055.tif 000002
【特許請求の範囲】
【請求項１】
将来、遺品整理・生前会員を希望される当事者ご本人、もしくは、そのご家族に遺品整理士認定協会の会員として、ご入会を頂き、遺品整理士認定協会は会員制度を発足し、会員証を配布する。会員証を提示し、遺品整理士認定協会加盟の優良企業にサービス提供の依頼する場合、それぞれの会員区分に相当したサービスの提供支援システム。
【発明の詳細な説明】
【技術分野】
【０００１】  本発明は、遺品整理士認定協会が遺品整理・生前整理サービスを受けられる会員制度を発足し、遺品整理士認定協会と遺品整理士認定協会加盟の優良企業とが連携し、会員に対して、健全なサービスを提供するビジネスモデル。
【背景技術】
【０００２】  高齢者様やそのご家族を中心に、遺品整理に関する事前の相談が急増しており、若い世代の方からのご相談も増えている。そこで、遺品整理士認定協会は、こうした皆様のご相談にお応えする為、全国の遺品整理士認定協会加盟の優良企業と連携し、遺品整理に関する事前の相談ごとを解決し、安心して日々をお過ごし頂く為に、会員券の発行をするビジネスモデルである。
【発明の概要】
【発明が解決しようとする課題】
【０００３】  高齢者様やそのご家族を中心に、遺品整理に関する事前の相談が急増している。特に、万が一の時、ご家族やご親戚の方達に迷惑をかけたくないとお考えになる高齢者様からのお問い合わせが増加している。例えば、「遠方に住む息子や親戚に、距離的あるいは費用の面での負担をかけたくないのだが、どのように考えておけば良いのか」というご相談や「今すぐではないにしても、いつか必ず生前整理や遺品整理が必要になることを見越して、一人暮らしの自宅の片付けを予約しておきたい」という、遺品整理に関した事前のお困りのご相談が多い。【０００４】  本発明は、このような従来の問題を解決するものであり、高齢者様やそのご家族の困りごとを解決し、安心の遺品整理業務に繋げることを目的とする。
【課題を解決するための手段】  そして、本発明は上記目的を達成する為に、こうした皆様のご相談にお応えする為、全国の遺品整理士認定協会加盟の優良企業と連携し、遺品整理に関する事前の相談ごとを解決し、安心して日々をお過ごし頂く為に、遺品整理・生前整理サービスを受けられる会員券の発行するものである。
【発明の効果】
【０００５】  遺品整理・生前整理サービスを受けられる会員制度は、将来的に遺品整理の依頼をお考えの高齢者様やそのご家族の皆様に会員としてご入会頂き、会員証を発行致します。その後、その会員証をもって、サービスご依頼の際にご利用頂けましたら、全国の遺品整理士認定協会加盟の優良企業に、割安で遺品整理や生前整理の依頼ができるものとなっております。本会員制度により、より良いサービス提供を行う業者からのサービス提供が実現し、悪質・悪徳なサービスが提供されることの抑止にも繋がると考えられる。
【図面の簡単な説明】
【０００６】
【図１】図１は本発明の実施方法を示す図である。
【図１】
2017188055.tif 000003
(57)【要約】      （修正有）【課題】スピーカー箱の重心部を線接触支持体によって支え、回転モーメントの働きにより歪を抑えるスピーカー台を提供する。【解決手段】ころがる線接触部材を支持体２２としてこれに接する部材を磁気を帯びる部材２５として、磁石２３が有する磁力で接触させて、ころがる時の線接触点の位置によって、その磁界の強さが相違する機構を有する。スピーカー箱２９の重心位置２４は、支持体２２の位置に正確に設置可能となる。【選択図】図３
2017229046.tif 000002
【特許請求の範囲】
【請求項１】
前後方向にころがる線接触部材を支持体とするスピーカー箱をのせるスピーカー台であって、当該ころがる線接触部材の支持体と、これに接する部材を磁力で接触させて、当該接触面の横断面形状における断面接触点での磁界の強さと、前記横断面形状の他の接触する１点での磁界の強さとが相違する機構を有することを特徴とするスピーカー台。
【発明の詳細な説明】
【技術分野】
【０００１】この発明はスピーカー箱の底部に設置するスピーカー台の振動制御に使うためのものについてである。
【背景技術】
【０００２】従来はスピーカー・ユニットの振動によって発生する歪を、スピーカー箱の底部に多点接触や面接蝕によるインシュレーターで振動の遮断と制動機能を持たせていた。
【先行技術文献】
【０００３】
【特許文献】
【特許文献】特願２０１４−２６７２５０
【発明の概要】
【発明が解決しようとする課題】
【０００４】線接触支持型のインシュレーターを用いたスピーカー台は従来用いられている多点接触でもなく、面接触型インシュレーターでもなく、スピーカー箱のスピーカーユニット部に重心を設定し、線接触支持型の支持体によって支え、回転モーメントの働きによって前記スピーカー箱から発生する歪を抑えるものである。
ここで、線接触支持するため、又回転モーメントの働きを有効にするために、丸い筒状のものやパイプなどころがる部材を用いるが、重心として決めた適切な位置に設置してもころがり又床が傾いていてもころがりずれてしまい、使用が難かしい。
本発明は前記線接触支持体としての部材を適切な位置に、ころがらずに又容易に設置し、回転モーメントの機能を有効に働かすものである。
【課題を解決するための手段】
【０００５】前後方向にころがる線接触部材を支持体として、スピーカー箱をのせるスピーカー台のインシュレーターに用い、当該ころがる線接触部材の支持体と、これに接する部材を磁気を帯びる部材として磁力で接触させて、当該接触面の横断面形状における断面接触点での磁界の強さと、前記断面形状の他の接触する１点での磁界の強さとが相違する構造にする。
【発明の効果】
【０００６】前記断面接触点での磁界の強さが相違すると、ころがる時、
2017229046.tif 000003
として磁界に不平衝が生じ、自動的に元の平衝のとれた位置に復帰するような力が働き、平衝を保つ位置に戻る。従ってころがる部材から成る線接触支持体の位置決めが容易で又正確に定位置を設定出来る効果がある。
これはスピーカーの重心位置を前記線接触支持体で支持するために実用的なものである。【０００７】前記ころがる線接触支持体を定位置に設定する時、ころがらないので、最適の位置での回転モーメントが効果的に働き、それによって歪が抑えられる。【０００８】設置する床面が傾いていても、ころがらずそれにのせるスピーカー箱は、その重心位置の設定にあたって平衝を保つ。
【図面の簡単な説明】
【０００９】
【図１】本発明の斜視図である。
【図２】本発明の横断面図とその磁界分布図である。
【図３】本発明のスピーカーをのせた横断面図である。
【本発明を実施するための形能】
【００１０】以下本発明を実施するための形能について説明する。
図１に基づいて説明すると、円筒状の線接触支持体（１）の底部にそって、磁界によって磁化される鉄などの金属板（２）と（３）を設ける。前記金属板（２）と（３）の間にネオジムなどの磁石（４）を挾む。当該金属板（２）と前記線接触支持体（１）とは磁石の力で互いに引きつけ合い接する。
【００１１】図２に基づいて説明すると、前記長方形の金属板（８）の横断面形状における磁界強度の分布グラフ（６）を示す。前方向と後方向にころがる中央部ａ点（１２）が最も磁力の強い位置（１５）であり、前方向と後方向には対称する磁界強度分布（１６）、（１７）となり、前記線接触支持体（７）は平衝がとれた前記中央部ａ点（１２）で常時安定する。一方前、後方向にころがる（２１）ことでｂ点（１３）やｃ点（１４）の位置になると、前記中央部ａ点（１２）より磁界強度は弱くなる。前記底部の金属板（８）に前記線接触支持体（７）がころがって、接触点がｂ点（１３）やｃ点（１４）になると磁界強度に前、後方向で不平衝を生じ、前記中央部ａ点（１２）の位置に戻る力が働き、この位置にころがり戻る。したがって前記中央部ａ点（１２）の位置に前記線接触支持体（７）があることで、正確に、容易にスピーカー箱の重心の位置をこれに設置出来る。
【実施例】
【００１２】図３に基づいて説明すると、筒状の線接触部材の両側面をカットした線接触支持体（２２）も含む本発明の横断面形状を示す。前記線接触支持体（２２）の内部にネオジム等の磁石（２３）を内蔵する。この磁石（２３）によって前記線接触支持体（２２）の下部に設けた磁界により磁化される鉄などの金属（２５）が、これにより密着する。前記線接触支持体（２２）の前、後方向にはスポンジ等の弾性体（２７）で両側をささえ、外装カバー（２６）の上部にはバランスをとるためのスポンジやゴム等の弾性体（２８）を設ける。これによりスピーカー箱の重心位置（２４）がころがる円筒状の線接触支持体（２２）の位置に正確に容易に設置可能となり、回転モーメントの働きにより歪の減少をはかることが出来るものである。
【符号の説明】
【００１３】  １    線接触支持体
２    金属板
３    金属板
４    ネオジム等の磁石
６．  分布グラフ
７．  線接触支持体
８．  金属板
１５．  磁力の強い位置
１２．  中央部ａ点
２２．  線接触支持体
２３．  磁石
２４．  スピーカー箱の重心位置
２６．  外装カバー
２８．  弾性体
【図１】
2017229046.tif 000004
【図２】
2017229046.tif 000005
【図３】
2017229046.tif 000006
(57)【要約】【課題】従来のものではホルダ部材とは別個に蓋部材が設けられているので、例えば電池を交換する際には、本体をホルダ部材から取り外す動作に加えて蓋部材を本体から取り外す動作が必要になる。更に、電池を交換したａとは蓋部材を戻す動作の他に、本体をホルダ部材に係合させる動作も必要となる。【解決手段】蓋部材に壁に対する固定部を形成し、壁に固定された蓋部材に対して上記本体を着脱自在に係合することにより本体を壁に取り付けると共に、壁に固定された蓋部材から本体を取り外すことによって上記電池の収納部に対する電池の交換を可能にした。【選択図】  図２
2017092743.tif 000002
【特許請求の範囲】
【請求項１】
壁に取り付けられるリモコン装置であって、壁に取り付けられた状態で前面となる面に各種の操作ボタンを備えると共に、後面となる面に電池の収納部が開口する本体と、その本体の開口部を開閉自在に蓋をする蓋部材とを備えたものにおいて、この蓋部材に壁に対する固定部を形成し、壁に固定された蓋部材に対して上記本体を着脱自在に係合することにより本体を壁に取り付けると共に、壁に固定された蓋部材から本体を取り外すことによって上記電池の収納部に対する電池の交換を可能にしたことを特徴とするリモコン装置。
【請求項２】
上記本体を蓋部材に係合させた状態で上記収納部の開口を囲繞するシール部材を、上記本体及び蓋部材のいずれか一方に取り付けたことを特徴とする請求項１に記載のリモコン装置。
【発明の詳細な説明】
【技術分野】
【０００１】
本発明は、電池で作動し、壁に取り付けられるリモコン装置に関する。
【背景技術】
【０００２】
従来のリモコン装置には作動用の電源として電池を内蔵するものが有り、かつ、このような電池を作動用の電源とするリモコン装置であって壁に取り付けられるものが知られている（例えば、特許文献１参照）。
【０００３】
このような壁に取り付けられるリモコン装置では、壁に取り付けられた状態で前面となる面に操作ボタンが設けられているので、後面となる面に収納部を設け、電池はこの収納部に交換自在にセットするように構成されている。なお、収納部には蓋部材が着脱自在に設けられており、電池を交換する際には蓋部材を取り外し、電池交換後に再び蓋部材を取り付け、収納部を閉鎖するように構成されている。
【０００４】
また、このようなリモコン装置の本体とは別にホルダ部材を設け、そのホルダ部材を壁に固定し、固定されたホルダ部材に本体を着脱自在に係合させるように構成されている。
【先行技術文献】
【特許文献】
【０００５】
【特許文献１】特開２００５−２０４２７１号公報（図１６〜図２０）
【発明の概要】
【発明が解決しようとする課題】
【０００６】
上記従来のものではホルダ部材とは別個に蓋部材が設けられているので、例えば電池を交換する際には、本体をホルダ部材から取り外す動作に加えて蓋部材を本体から取り外す動作が必要になる。更に、電池を交換したあとは蓋部材を戻す動作の他に、本体をホルダ部材に係合させる動作も必要となる。
【０００７】
そこで本発明は、上記の問題点に鑑み、可及的に少ない動作で本体の電池を交換することのできるリモコン装置を提供することを課題とする。
【課題を解決するための手段】
【０００８】
上記課題を解決するために本発明によるリモコン装置は、壁に取り付けられるリモコン装置であって、壁に取り付けられた状態で前面となる面に各種の操作ボタンを備えると共に、後面となる面に電池の収納部が開口する本体と、その本体の開口部を開閉自在に蓋をする蓋部材とを備えたものにおいて、この蓋部材に壁に対する固定部を形成し、壁に固定された蓋部材に対して上記本体を着脱自在に係合することにより本体を壁に取り付けると共に、壁に固定された蓋部材から本体を取り外すことによって上記電池の収納部に対する電池の交換を可能にしたことを特徴とする。
【０００９】
蓋部材を壁に固定してリモコン装置を壁に取り付けるので蓋部材の他にホルダ部材などを必要としない。
【００１０】
なお、上記本体を蓋部材に係合させた状態で上記収納部の開口を囲繞するシール部材を、上記本体及び蓋部材のいずれか一方に取り付けてもよい。
【発明の効果】
【００１１】
以上の説明から明らかなように、本発明は、従来のリモコン装置では必要であったホルダ部材を用いることなくリモコン装置を壁に取り付けることができるので、電池の交換時の作業が簡単になると共に、部品点数を削減することができる。
【図面の簡単な説明】
【００１２】
【図１】本発明の一実施の形態の構成を示す図
【図２】リモコン装置の本体を蓋体から外した状態を示す図
【発明を実施するための形態】
【００１３】
図１を参照して、１は本発明によるリモコン装置の一例で有り、壁Ｗに取り付けられている。このリモコン装置１は前面に各種の操作ボタンを備えた本体２と、この本体２の後面側に係合する蓋部材３とから構成されている。
【００１４】
図２を参照して、本体２と蓋部材３とは着脱自在に係合するものであり、蓋部材３は壁Ｗに対して２本のネジ３１によって固定されている。なお、これらネジ３１が挿通される取付穴を蓋部材３に形成したが、その取付穴が固定部に相当する。また、蓋部材３の下部には１対の枢軸３３が形成されている。
【００１５】
一方、本体２の後面２１には２本の電池Ｂを収納する収納部２２が形成されている。そして、この収納部２２の開口周縁は１段高くなってシール座２３が形成されている。
【００１６】
また、本体２の下部には１対の軸受部２４が形成されており、本体２の前面を下方に伏せた状態で枢軸３３と軸受部２４とを係合させ、その状態で本体２を起こすことによって、図１に示した状態になる。
【００１７】
電池を交換する際には、図１に示した状態から本体２を蓋部材３から離して前方に倒れさせ、更に前方に引くことにより本体２を蓋部材３から切り離す。その状態で収納部２２は開口しているので、内部の電池Ｂを交換する。交換後は逆の手順により図１に示した状態に戻す。
【００１８】
ところで、リモコン装置１を浴室など水がかかりやすい場所に設置する際には、収納部２２内に水が流れ込まないようにする必要がある。そこで、蓋部材３にパッキン３２を取り付け、本体２を蓋部材３に係合させ、図１に示す状態でシール座２３にパッキン３２が当接して、収納部２２を外部に対してシールするようにした。なお、このパッキン３２は蓋部材３ではなく本体２側のシール座２３に取り付けてもよい。
【００１９】
なお、本発明は上記した形態に限定されるものではなく、本発明の要旨を逸脱しない範囲内において種々の変更を加えてもかまわない。
【符号の説明】
【００２０】
１  リモコン装置
２  本体
３  蓋部材
２２  収納部
２３  シール座
３２  パッキン
Ｂ  電池
Ｗ  壁
【図１】
2017092743.tif 000003
【図２】
2017092743.tif 000004